(57)【要約】【課題】ドラムの回転中にハット部が乾燥処理室の温風入口や温風出口の部分に位置した場合であっても、ドラム内へ温風が流入し易く、被処理物の乾燥効率を向上させることができる乾燥装置を提供する。【解決手段】被処理物投入部６有する筐体２と、筐体２内に形成した乾燥処理室４内に横向き状態で回転自在に設けられ、通気性を有し、被処理物投入部６から投入された被処理物を収納するドラム５と、ドラム５を回転する回転駆動機構２６と、導入した外気を加熱する加熱ユニット１１と、温風を外部へ排出する排気ユニット１２と、を備える乾燥装置１であって、ドラム５の周壁内面にハット部３３を突設し、このハット部３３に通気孔３５を開設してを通気性を有する構造に形成した。【選択図】        図１
2004275489.tif 000002
【特許請求の範囲】
【請求項１】
被処理物投入部を有する筐体と、
該筐体内に形成した乾燥処理室内に横向き状態で回転自在に設けられ、通気性を有し、上記被処理物投入部から投入された被処理物を収納するドラムと、
該ドラムを回転する回転駆動機構と、
空気を加熱する加熱ユニットと、
上記処理室から温風を外部へ排出する排気ユニットと、
を備える乾燥装置において、
上記ドラムの周壁内面に、ドラムの中心側へ向けてハット部を突設し、
該ハット部は、ドラムの軸方向に長尺であって、通気孔による通気性を有する構成であることを特徴とする乾燥装置。
【請求項２】
前記ハット部は、複数の通気孔を開設した板材を断面略山形に屈曲するとともに、前記山形の裾に相当する部分を山形の外側または内側に向けて屈曲することにより止着片を形成し、両止着片の間を通気口として構成され、両止着片をドラムの周壁内面に止着し、前記通気孔と通気口とによりドラム内外の通気を可能としたことを特徴とする請求項１に記載の乾燥装置。
【請求項３】
前記ドラムの周壁が、湾曲した複数の板材で構成され、周方向に隣り合う板材の一方が前記ハット部の一方の止着片に接続し、隣り合う板材の他方が当該ハット部の他方の止着片に接続されて、当該ハット部の通気口が隣り合う両板材の離間間隔に開口していることを特徴とする請求項２に記載の乾燥装置。
【請求項４】
前記乾燥処理室に開口する温風入口と温風出口とを、乾燥処理室の手前側部分の開口幅が奥側部分の開口幅よりも広くなるように形成したことを特徴とする請求項１から３のいずれかに記載の乾燥装置。
【発明の詳細な説明】
【０００１】
【発明の属する技術分野】
本発明は、洗濯した衣類等の被処理物を乾燥する乾燥装置に関する。
【０００２】
【従来の技術】
衣類等の被処理物の洗浄を業務として行なう場合、被処理物の汚れを丸洗いして除去した後は、自然乾燥を行なわず、乾燥装置を用いて水分を含む被処理物を温風により強制的に乾燥させることが行なわれている。
【０００３】
この種の乾燥装置は、例えば、筐体内に乾燥処理室を区画形成し、該処理室内に横向き状態で通気孔を有するドラムを回転自在に設けており、筐体の上部導入口から外気を導入してドラムを有する乾燥処理室を通過させ、筐体の下部排気口から外部へ排出させる温風通路を形成し、この温風通路の上部導入口の近傍に加熱ユニットを配設すると共に、温風通路の下部排気口の近傍に排気ユニットを配設し、さらに排気ユニットの手前にリントフィルタを配設している。
【０００４】
すなわち、この乾燥装置は、ドラム内に被処理物を収納し、排気ユニットのファンを駆動することにより、上部導入口から導入した外気を加熱ユニットのヒータで加熱して温風とし、ドラムを回転させながらドラムの周壁の通気孔を通してドラム内へ温風を供給し、ドラム内の被処理物を加熱して水分を気化させ、リントフィルタを通して下部排気口から外部へと排出させて、被乾燥物の乾燥を行っている。
【０００５】
このような乾燥装置に関連する技術としては、特開２００１−１２０８９６号公報（特許文献１）に「乾燥装置および乾燥方法」に係る発明が提案されている。この発明は布団や毛布等の厚物被処理物を乾燥する乾燥装置に関するものであり、ドラム内に複数の収納室を区画する仕切り部材を配設して、ドラム内における厚物被処理物の偏りをなくして乾燥効率を向上させるというものである。
【０００６】
【特許文献１】
特開２００１−１２０８９６号公報
【０００７】
【発明が解決しようとする課題】
従来の乾燥装置では、乾燥処理室の上部区画壁に形成した温風入口およびドラム周壁の通気孔を介してドラム内へ温風を流入させ、ドラム周壁の通気孔および乾燥処理室の下部区画壁に形成した温風出口を介して温風を外部へ排出させる構成を採っている。
【０００８】
ところで、上記ドラムの周壁内面には、ドラムの径方向内方へ臨んで山形状のハット部が形成し、このハット部により、ドラムの回転時に衣類等の被処理物を攪拌しているが、このハット部には通気孔は形成されていない。したがって、ドラムの回転中にハット部が乾燥処理室の温風入口や温風出口の部分に位置すると、温風がドラム内へと流入し難くなり、またドラム内の温風が排出され難くなり、これが乾燥効率を低下させる一因となっていた。
【０００９】
本発明は、このような事情に鑑みてなされたものであり、ドラムの回転中にハット部が乾燥処理室の温風入口や温風出口の部分に位置した場合であっても、ドラム内へ温風が流入し易く、またドラム内の温風が排出され易く、被処理物の乾燥効率を向上させることができる乾燥装置を提供することを目的とする。
【００１０】
【課題を解決するための手段】
本発明は、前記目的を達成するために提案されたものであり、請求項１に記載のものは、被処理物投入部を有する筐体と、
該筐体内に形成した乾燥処理室内に横向き状態で回転自在に設けられ、通気性を有し、上記被処理物投入部から投入された被処理物を収納するドラムと、
該ドラムを回転する回転駆動機構と、
空気を加熱する加熱ユニットと、
上記処理室から温風を外部へ排出する排気ユニットと、
を備える乾燥装置において、
上記ドラムの周壁内面に、ドラムの中心側へ向けてハット部を突設し、
該ハット部は、ドラムの軸方向に長尺であって、通気孔による通気性を有する構成であることを特徴とする乾燥装置である。
【００１１】
請求項２に記載のものは、前記ハット部は、複数の通気孔を開設した板材を断面略山形に屈曲するとともに、前記山形の裾に相当する部分を山形の外側または内側に向けて屈曲することにより止着片を形成し、両止着片の間を通気口として構成され、両止着片をドラムの周壁内面に止着し、前記通気孔と通気口とによりドラム内外の通気を可能としたことを特徴とする請求項１に記載の乾燥装置である。
【００１２】
請求項３に記載のものは、前記ドラムの周壁が、湾曲した複数の板材で構成され、周方向に隣り合う板材の一方が前記ハット部の一方の止着片に接続し、隣り合う板材の他方が当該ハット部の他方の止着片に接続されて、当該ハット部の通気口が隣り合う両板材の離間間隔に開口していることを特徴とする請求項２に記載の乾燥装置である。
【００１３】
請求項４に記載のものは、前記乾燥処理室に開口する温風入口と温風出口とを、乾燥処理室の手前側部分の開口幅が奥側部分の開口幅よりも広くなるように形成したことを特徴とする請求項１から３のいずれかに記載の乾燥装置である。
【００１４】
【発明の実施の形態】
以下、本発明の実施の形態を図面に基づいて説明する。
図１は本発明の乾燥装置の一実施形態を示しており、（ａ）はその概略正面図であり、（ｂ）はその概略側面図である。
【００１５】
図示する乾燥装置１は、密閉可能な略直方体形の筐体２の内部に円筒体状のシェル（外胴）３を横向き状態で設けて乾燥処理室４を区画形成し、この乾燥処理室４内に横向き状態でドラム５を回転自在に設けてある。
【００１６】
筐体２は、前面に衣類等の被処理物投入部として、ドラム５の内径よりも小径の円形の投入口６を開設し、この投入口６を開閉する扉７を設けてある。本実施形態における扉７は円形を呈しており、その中央部分には丸い窓８を設けてある。この扉７の筐体２側には、気密性を高めるためのシール材９を設ける。
【００１７】
シェル３は、軸心を横倒した円筒形で、背面板１０とともに円柱状の空間として乾燥処理室４を区画形成しており、ドラム５の外周面との間に隙間を隔てて、ドラム５の外周を囲繞している。
【００１８】
筐体２内のシェル３の上方後部には、導入した外気を加熱する加熱ユニット１１が設けてあり、シェル３の下方後部には、温風を外部へ排出する排気ユニット１２が設けてある。また、シェル３の上部一側方には、温風を乾燥処理室４内へ流入させる長方形状の温風入口１３が形成してあり、シェル３の下部中央には、温風を乾燥処理室４内から流出させる長方形状の温風出口１４が形成してある。
【００１９】
図２および図３に示すように、シェル３の上部一側方（本実施形態では、正面視において上部左側方）に開設した温風入口１３は、上記加熱ユニット１１が筐体２内の後部上方の左側に位置するため、この加熱ユニット１１に連通するようにシェル３の上部左側方に開設している。そして、温風入口１３の開口形状は、ドラム５の軸方向に亘って、加熱ユニット１１から遠い部分（即ち、乾燥処理室４の手前側部分）の開口幅Ｄが近い部分（即ち、乾燥処理室４の奥側部分）の開口幅ｄよりも広くなるように形成してある。本実施形態では、この温風入口１３の開口幅が、ドラム５の軸方向に亘って、上記加熱ユニット１１に近い部分から遠い部分へ向けて次第に拡大するように形成しており、例えば、台形状を呈している。
【００２０】
また、温風出口１４は、図３に示すように、ドラム５の中央部分において温風を通過させるため、シェル３の下部中央に開設している。そして、温風出口１４の開口形状は、ドラム５の軸方向に亘って、上記排気ユニット１２から遠い部分（即ち、乾燥処理室４の手前側部分）の開口幅Ｔが近い部分（即ち、乾燥処理室４の奥側部分）の開口幅ｔよりも広くなるように形成してある。本実施形態では、この温風出口１４の開口幅が、ドラム５の軸方向に亘って、上記排気ユニット１２に近い部分から遠い部分向けて次第に拡大するように形成しており、例えば、台形状を呈している。
【００２１】
このように温風入口１３および温風出口１４の開口形状が台形状を呈し、ドラム５の軸方向に亘って、上記加熱ユニット１１および排気ユニット１２から遠い部分の開口幅Ｄ，Ｔが近い部分の開口幅ｄ，ｔよりも広くなるように形成しているが、これは、温風入口１３および温風出口１４の上記加熱ユニット１１および排気ユニット１２から遠い部分１３ｂ，１４ｂにおいて温風の通風量を増加させると共に、温風入口１３および温風出口１４の上記加熱ユニット１１および排気ユニット１２に近い部分１３ａ，１４ａにおいて温風の通風量を減少させて、ドラム全体としての温風通風量を均一化させるためである。即ち、流速が速い部分は口の幅を狭くして断面積を小さくする一方、遅い部分は口の幅を拡大して断面積を大きくすることにより、口の前後方向の何れの部位においても風量が揃うようにしてある。
【００２２】
ドラム５は、軸心を横倒した円筒形で、手前側のリング状端板１５の中心に開口部１６を有し、奥側の円形端板１７の中心に支軸１８を外方に突出する状態で有し、両端板１５，１７を繋ぐ周面板３２に多数の小さな通気孔５´を開設することにより通気性をもたせ、上記開口部１６が筐体２の投入口６に連通するようにしてある。そして、上記背面板１０とその後方のブラケット１９に設けた軸受２０，２１により上記支軸１８を支え、支軸１８の先端に設けたプーリー２２とモータ２３の出力軸に設けたプーリー２４との間にベルト２５を掛け、モータ２３の作動によりドラム５を回転する。
なお、モータ２３，プーリー２２，２４等の回転駆動機構２６は、上記したモータやベルト等に限定されるものではなく、ドラム５を回転することができればどのような構成でもよい。
【００２３】
加熱ユニット１１は筐体２内の上部に設けられ、外気を吸い込む吸気部（図示せず）の下流側にバーナー等の加熱装置２７が設けられている。加熱ユニット１１は、排気ユニット１２を駆動することにより、吸気部から導入された外気を加熱する。本実施形態では、この加熱ユニット１１には送風手段は設けられていないが、ブロワー等の送風手段を装備してもよい。
【００２４】
排気ユニット１２は、筐体２の下部後方にシロッコファン式の送風機２８を設け、この送風機２８の吸気側通気路２９を筐体２内に連通させ、送風機２８の排気側口３０にダクト（図示せず）を接続して屋外に排気できるように構成してある。そして、筐体２の内部に円筒体状のシェル３で区画した乾燥処理室４内にドラム５を配置し、上記シェル３の下部に形成した温風出口１４に連通させて吸気側通気路２９を形成し、この吸気側通気路２９の途中にリントフィルタ３１を設け、リントフィルタ３１の出口側に送風機２８の吸気口を連通させ、送風機２８の排気側口３０にダクトを接続するように構成してある。
【００２５】
したがって、送風機２８を作動させると吸気口側（吸気側通気路２９）に負圧が発生し、これによりドラム５を設けてある乾燥処理室４内の空気は、シェル３の下部中央に形成した温風出口１４から吸い出されて吸気側通気路２９に流入し、途中でリントフィルタ３１によって濾過（糸屑や綿屑の除去）が行なわれ、濾過された空気は送風機２８内を通って排気側口３０からダクトを通って屋外に排気される。また、この様にして乾燥処理室４内の空気が排気されると、加熱ユニット１１の加熱装置２７を通過して熱せられた高温の温風がシェル３の温風入口１３およびドラム周面板の通気孔５´を通ってドラム５の内部に吸引される。なお、本実施形態では、ドラム５を挟んで温風入口１３と温風出口１４とを反対側に配置しているので、温風出口１４に負圧が生じると、温風入口１３から出た温風が最短流路であるドラム５内を通って温風出口１４に到達し易くなり、これによりドラム５内の通気量を増加させることができ、効率の良い乾燥に寄与している。
【００２６】
次に、図４及び図５を用いて、上記ドラム５の具体的構造について詳述する。図４は、本実施形態におけるドラムの構造を示す概略縦断面図であり、図５は、本実施形態におけるドラム内外面の構造を示す一部破断側面図である。
【００２７】
図４及び図５において、ドラム５の両端板１５，１７を繋ぐ周面板（周壁）３２には、上述したように、多数の小さな貫通する通気孔５´を開設して通気性をもたせている。この通気孔５´は、例えば、円形状に開設するが、貫通スリット等の他形状の貫通孔として形成してもよい。要するに、ドラム５内に温風を供給でき、また、排出することができればよい。
【００２８】
また、このドラム５の周面板３２の内面には、ドラム５の回転時に衣類等の被処理物を引っ掛けて上昇させてから落下させ、これにより被処理物を攪拌するためのハット部３３がドラム５の軸方向に長尺に形成してある。このハット部３３は、長手方向に直行する方向に切断した断面形状が略山形、具体的には略二等辺三角形状であり、上記した山形の裾に相当する部分を山形の内側に向けて屈曲することにより止着片３３ｄを形成し（図６参照）、両止着片３３ｄ，３３ｄの間を通気口３４として開口した構成とされている。なお、止着片３３ｄ，３３ｄは、外側に屈曲して形成してよい。
【００２９】
このハット部３３は、通気性を有する構造に形成してあり、本実施形態では、図６に示すように、ステンレス板材を断面略二等辺三角形状に折り曲げるとともに、三角形の斜辺の下端部分をそれぞれ内側に折り曲げて止着片３３ｄ，３３ｄとし、両止着片３３ｄ，３３ｄの間にできた開口部分を、ドラム５の軸方向に沿った直状の通気口３４とし、ドラム５内へ向かう三角形状の両側面３３ａ，３３ｂに多数の通気孔３５を形成し、上記止着片３３ｄには取付け孔３７が開設されている。通気孔３５は、例えば、円形状に開設するが、貫通スリット等の他形状の貫通孔として形成してもよい。また、ハット部３３をパンチングプレートや網部材により成形して、通気性をもたせてもよい。要するに、このハット部３３を介して、ドラム５内に温風を供給することができればよい。
【００３０】
図４及び図５に示したように、本実施形態におけるドラム５の周面板３２は、円弧状に湾曲した複数の板材、すなわち分割体３２ａ，３２ｂ，３２ｃを上記ハット部３３を介して接続することにより円筒体状に組み付けられている。具体的には、ロール成形した正面形状が円弧状を呈する各分割体３２ａ，３２ｂ，３２ｃの周方向両端部に、上記取付け孔３７に対応する取付け孔（図示せず）を開設し、周方向に隣り合う各分割体３２ａと３２ｂ，３２ｂと３２ｃ，３２ｃと３２ａの間にハット部３３を配置して、隣り合う分割体の一方を当該ハット部３３の一方の止着片３３ｂに重ね合わせ、隣り合う分割体の他方を当該ハット部３３の他方の止着片３３ｃに重ねあわせ、ハット部３３の取付け孔３７と各分割体３２ａ，３２ｂ，３２ｃの取付け孔とを一致させ、両取付け孔にリベット等を通して接続する。したがって、隣り合う分割体の間の隙間にハット部３３の通気口３４がドラム５の外周面にそのまま開口することになる。
なお、本実施形態では各通気口３４に２つの結合部材３９を用いて、隣り合う各分割体３２ａと３２ｂ，３２ｂと３２ｃ，３２ｃと３２ａの間を掛け渡すようにボルト締結している。
【００３１】
本実施形態では、上記ハット部３３として、ステンレス板材を山形状に屈曲してハット部３３を構成し、基端に形成した両止着片３３ｃ，３３ｄの間の開部をそのままドラム５の通気口３４として用いているが、これに限るものではなく、ハット部３３が筒体からなる場合にはドラム周壁側に位置する部分にドラム５の軸方向に沿った通気口を開口してもよい。また、通気口３４はハット部３３の全長に亘って形成しなくともよく、筒体のドラム５の周壁側に位置する部分にドラム５の軸方向に沿った直状の通気口３４が形成してあればよい。また、ドラム５の周壁は一枚の板材を円筒形にカールして構成し、この周壁の内面にハット部３３を取り付け、ハット部３３の内部とドラム５の外部とを貫通する通気口を開設する構成でもよい。
【００３２】
また、図７に示すように、ハット部３３内にロッド４０を貫通させ、このロッド４０の両端をドラム５のリング状端板１５と円形端板１７とにナット４１，４２で固定し、補強してもよい。この様に構成すると、通気性を損なうことなくドラム５を補強することができる。
【００３３】
また、図１（ａ）において、４５は制御ボックスであり、回転駆動機構２６のモータ２３の駆動、排気ユニット１２の送風機２９の作動、及び加熱ユニット１１の加熱装置２７の作動等を制御するマイクロコンピュータやタイマー等が組み込まれている。
【００３４】
次に、上記した構成からなる乾燥装置１の作用について説明する。
まず扉７を開放して、投入口６を開放する。そして、ドラム５内へ衣類等の処理物を収納し、扉７を閉じてから制御ボックス４５のスタートスイッチをオン操作すると、次のようにして乾燥処理が開始される。
【００３５】
上述したように、排気ユニット１２の送風機２８を作動させると吸気口側（吸気側通気路２９）に負圧が発生し、これによりドラム５を設けてある乾燥処理室４内の空気は、シェル３の下部中央に形成した温風出口１４から吸い出されて吸気側通気路２９に流入し、途中でリントフィルタ３１によって濾過（糸屑や綿屑の除去）が行なわれ、濾過された空気は送風機２８内を通って排気側口３０からダクトを通って屋外に排気される。
【００３６】
そして、この様にして乾燥処理室４内の空気が排気されると、加熱ユニット１１で熱せられた温風がシェル３の上部左側方に形成した温風入口１３から吹き出し、さらにドラム周面板の通気孔５´を通過してドラム５内に導入されることになる。
【００３７】
ドラム５は回転駆動機構２６のモータ２３を駆動することにより回転し、ドラム５内へと温風が導入されると、乾燥処理が開始される。この乾燥処理では、ドラム５の内周面に配設したハット部３３により被処理物を引っ掛けて上昇させてから落下することで被処理物を攪拌すると共にからみを解きながらドラム内に導入した温風に晒して被処理物の乾燥を行う。
【００３８】
ドラム５の内部に導入された温風は、被処理物を乾燥させながらドラム５の周面板３２の多数の通気孔を通過してドラム５の外側に出て、シェル３の下部中央に形成した温風出口１４を通って吸気側通気路３０に流入し、この吸気側通気路３０の途中でリントフィルタ３２により濾過（糸屑の除去、綿屑の除去）され、送風機２８の排気側口３０からダクトを介して屋外へと排出される。
【００３９】
このようにして乾燥処理が行なわれるが、本実施形態では、温風がドラム５の周面板３２の多数の通気孔５´を通過してドラム５内に流入するだけでなく、ハット部３３が通気性を有するので、ドラム５の回転中にハット部３３が乾燥処理室４の温風入口１３や温風出口１４の部分に対向した場合であっても、ハット部３３の通気孔３５及び通気口３４を介してドラム５内へ温風が流入し、また、流出することになる。
なお、乾燥により蒸発した水分は送風機２８による強制排気により屋外に排出される。
【００４０】
この乾燥処理におけるドラム５の回転は正回転を継続してもよいが、所定の時間毎に正回転と逆回転を交互に繰り返し行なってもよい。
【００４１】
この乾燥処理は、電気的制御装置のタイマに設定した所定時間継続され、この所定時間が経過するとドラム５の回転が停止し、送風機２８の作動が停止する。そして、ドラム５の回転が停止すると、扉７を開放することができ、使用者は投入口６からドラム５内で乾燥した被処理物を取り出すことができる。
【００４２】
なお、本実施形態では、衣類等の薄物被処理物を例に挙げて説明したが、本発明は布団や毛布等の厚物被処理物の乾燥処理にも適用することができる。また、本実施形態では、乾燥処理機能のみを有する乾燥装置を例に挙げて説明したが、本発明は洗浄処理、脱水処理の機能をも備えた洗濯脱水乾燥装置にも適用することができる。
【００４３】
【発明の効果】
以上説明したように、本発明によれば以下のような優れた効果を奏する。
請求項１に記載の発明によれば、ドラムの周壁内面に突設したハット部を通気孔による通気性を有する構造にしたので、ドラムの回転中にハット部が乾燥処理室の温風入口に位置した場合であっても、通気性を有するハット部を介してドラム内へ温風が流入することになり、また、ハット部が温風出口に位置した場合であっても通気性を有するハット部を介してドラム内の温風が流出することになり、これによりドラム内外の通気が従来よりも向上し、これにより被処理物の乾燥効率を向上させることができる。
【００４４】
請求項２に記載の発明によれば、ハット部は、複数の通気孔を開設した板材を断面略山形に屈曲するとともに、前記山形の裾に相当する部分を山形の外側または内側に向けて屈曲することにより止着片を形成し、両止着片の間を通気口として構成され、両止着片をドラムの周壁内面に止着し、前記通気孔と通気口とによりドラム内外の通気を可能としたので、ハット部を取り付けた部分における通気性を一層高めることができ、特に、ドラム外周面に大きな通気口が温風の出入を大きく促進させる。このため、ハット部が温風入口、温風出口に対向した状態における通気が向上するばかりでなく、ハット部が乾燥処理室の他の部位に対向した状態でも温風を効率良く出し入れできる。したがって、乾燥効率を一層向上させることができる。
【００４５】
請求項３に記載の発明によれば、ドラムの周壁が、湾曲した複数の板材で構成され、周方向に隣り合う板材の一方が前記ハット部の一方の止着片に接続し、隣り合う板材の他方が当該ハット部の他方の止着片に接続されて、当該ハット部の通気口が隣り合う両板材の離間間隔に開口するので、通気口を設けるための作業を別途行うことなく形成することができ、製造の容易化を図ることができる。また、通気口の部分は、ドラムの周壁を構成する板材が不要になり、ドラムの軽量化を図ることができる。
【００４６】
請求項４に記載の発明によれば、乾燥処理室に開口する温風入口と温風出口とを、乾燥処理室の手前側部分の開口幅が奥側部分の開口幅よりも広くなるように形成したので、乾燥処理室内に供給される温風をドラムの軸方向にむらなく供給することができ、ハット部の通気性との相乗効果により、なお一層乾燥効率を向上させることができる。
【図面の簡単な説明】
【図１】本発明の乾燥装置の一実施形態を示しており、（ａ）はその概略正面図であり、（ｂ）はその概略側面図である。
【図２】温風入口の形状を示す乾燥処理室内の概略説明図である。
【図３】温風出口の形状を示す乾燥処理室内の概略説明図である。
【図４】本実施形態におけるドラムの構造を示す概略縦断面図である。
【図５】本実施形態におけるドラム内外面の構造を示す一部破断平面図である。
【図６】本実施形態におけるハット部を構成する部材の具体的構造を示しており、（ａ）はその側面図、（ｂ）はその正面図、（ｃ）はその底面図である。
【図７】本実施形態におけるドラムの組立て構造を示す一部破断平面図である。
【符号の説明】
１  乾燥装置
２  筐体
３  シェル
４  乾燥処理室
５  ドラム
６  投入口
７  扉
８  窓
９  シール材
１０  背面板
１１  加熱ユニット
１２  排気ユニット
１３  温風入口
１４  温風出口
１５  リング状端板
１６  開口部
１７  円形端板
１８  支軸
１９  ブラケット
２０，２１  軸受
２２，２４  プーリー
２３  モータ
２５  ベルト
２６  回転駆動機構
２７  加熱装置
２８  送風機
２９  吸気側通気路
３０  排気側口
３１  リントフィルタ
３２  周面板
３２ａ，３２ｂ，３２ｃ  分割体
３３  ハット部
３３ａ，３３ｂ  ハット部の両側面
３３ｃ，３３ｄ  ハット部の止着片
３４  通気口
３５  通気孔
３７  ハット部材の取付け孔
４０  ロッド
４１，４２  ナット
４５  制御ボックス
【図１】
2004275489.tif 000003
【図２】
2004275489.tif 000004
【図３】
2004275489.tif 000005
【図４】
2004275489.tif 000006
【図５】
2004275489.tif 000007
【図６】
2004275489.tif 000008
【図７】
2004275489.tif 000009